(57)【要約】【課題】通信規格の異なる電波信号を回路構成を複雑化することなく容易に受信することができるようにする。【解決手段】通信規格の異なる電波信号に対応して第１、第２、第３の同調回路３８、４０、４２のうちの１の同調回路を選択すると共に、電波信号の通信規格に対応して第１、第２の復調回路５８，６０のうちの１の復調回路を選択し、通信規格の異なる電波信号の受信チャンネルを選択された同調回路に対応して設定されたステップ周波数単位で切り換えるようにする。【選択図】図１
2008054226.tif 000002
【特許請求の範囲】
【請求項１】
通信規格の異なる電波信号を受信可能で局部発信回路の発振周波数を選択的に設定変更することで受信チャンネルを切り換える受信装置であって、アンテナを介して受信した通信規格の異なる電波信号に対応する複数の同調回路と、受信した電波信号の通信規格に対応して前記複数の同調回路のうちの１の同調回路を選択する同調回路選択スイッチと、受信した通信規格の異なる電波信号に対応する複数の復調回路と、受信した電波信号の通信規格に対応して前記複数の復調回路のうちの１の復調回路を選択する復調回路選択スイッチと、前記同調回路選択スイッチ及び前記復調回路選択スイッチの切換動作を制御する回路選択スイッチ制御部と、通信規格の異なる電波信号の受信チャンネルを前記選択された同調回路に対応して設定されたステップ周波数単位で切り換える選局制御部とを備えたことを特徴とする受信装置。
【請求項２】
前記同調回路選択スイッチにより何れの同調回路が選択されたかを識別する識別情報を記憶する識別情報記憶部と、この識別情報記憶部に記憶されている識別情報に基づいて前記同調回路選択スイッチにより何れの同調回路が選択されたかを判別する選択判別部とを備え、前記選局制御部は前記選択判別部で判別された同調回路に対応して受信チャンネルを切り換えるものであることを特徴とする請求項１記載の受信装置。
【請求項３】
前記選局制御部により切り換えられた受信チャンネルに電波信号に関連する送信情報が存在するか否かを判別する情報判別部と、前記情報判別部により送信情報が存在すると判別された場合に当該送信情報を記憶する送信情報記憶部とを備えたことを特徴とする請求項１又は２記載の受信装置。
【請求項４】
前記送信情報記憶部に送信情報が記憶されているか否かを判別する記憶判別部と、この記憶判別部により送信情報が記憶されていると判別された場合に前記回路選択スイッチ制御部により前記同調回路選択スイッチ及び前記復調回路選択スイッチを動作させると共に、前記選局制御部により前記送信情報に対応する電波信号を受信するようにする受信制御部とを備えたことを特徴とする請求項３記載の受信装置。
【請求項５】
前記通信規格の異なる電波信号は、デジタルラジオ放送システム及び短距離通信に適したデジタル通信システムにおけるものであることを特徴とする請求項１乃至４の何れかに記載の受信装置。
【発明の詳細な説明】
【技術分野】
【０００１】
本発明は、通信規格の異なる無線通信システムにおける電波信号を受信することができる受信装置に関する。
【背景技術】
【０００２】
近年、日本とアメリカ合衆国を除いた多くの国でＤＡＢ（Digital Audio Broadcast）と呼ばれる通信規格が適用された無線通信システムであるデジタルラジオ放送が普及している。この通信規格が適用された電波信号であるデジタルラジオ放送を受信し得る受信装置では、自動車などの移動中に受信していた放送が送信所のエリアから外れた場合に周波数が別の放送局に自動的に変更される。また、文字放送によって受信中の音楽の曲名や交通情報などの各種情報を得ることもできる。
【０００３】
一方、Bluetooth（登録商標）と呼ばれる通信規格が適用された無線通信システムにおける電波信号を受信し得る受信装置も実用化されている。このBluetooth（登録商標）は、東芝、エリクソン、インテル、ＩＢＭ、ノキアが中心となって開発・提唱されている無線通信の規格で、ＩＥＥＥ規格名はＩＥＥＥ８０２.１５.１と呼ばれるものであり、例えば、携帯電話やＰＤＡ（Personal Digital Assistant）などのモバイル端末どうしで短距離の無線通信を行う場合に適用されるものである。このBluetoothと呼ばれる通信規格が適用された受信装置では、携帯電話やＰＤＡなどのモバイル端末により外部から取得された音楽などの記録情報が当該モバイル端末から送信されることで受信することができる。
【０００４】
このように、近年では通信規格の異なる多くのデジタル通信システムが存在しており、通信規格の異なる電波信号を受信できるようにした受信装置も提案されている（例えば、特許文献１）。このような受信装置では、通信規格の異なる電波信号ごとに受信装置を備える必要がないことから利便性に優れたものとなる。
【特許文献１】特表２００６−５０８５８０号公報
【発明の開示】
【発明が解決しようとする課題】
【０００５】
ところが、上記提案されている構成では、通信規格の異なる電波信号ごとに受信装置を備える必要がないことから利便性に優れたものになるとはいうものの、基地局から通信プロトコルを取得し、この取得した通信プロトコルをプロトコルスタックにロードすることで、通信規格の異なる電波信号を受信することができるようにしたものであるため、基地局から通信プロトコルが送信されていない無線通信システムには適用できないという問題がある。
【０００６】
本発明は、このような事情に鑑みてなされたもので、通信規格の異なる電波信号を回路構成を複雑化させることなく容易に受信することができる受信装置を提供することを目的とする。
【課題を解決するための手段】
【０００７】
上記目的を達成するため、請求項１の発明は、通信規格の異なる電波信号を受信可能で局部発信回路の発振周波数を選択的に設定変更することで受信チャンネルを切り換える受信装置であって、アンテナを介して受信した通信規格の異なる電波信号に対応する複数の同調回路と、受信した電波信号の通信規格に対応して前記複数の同調回路のうちの１の同調回路を選択する同調回路選択スイッチと、受信した通信規格の異なる電波信号に対応する複数の復調回路と、受信した電波信号の通信規格に対応して前記複数の復調回路のうちの１の復調回路を選択する復調回路選択スイッチと、前記同調回路選択スイッチ及び前記復調回路選択スイッチの切換動作を制御する回路選択スイッチ制御部と、通信規格の異なる電波信号の受信チャンネルを前記選択された同調回路に対応して設定されたステップ周波数単位で切り換える選局制御部とを備えたことを特徴としている。
【０００８】
請求項２の発明は、請求項１に係るものにおいて、前記同調回路選択スイッチにより何れの同調回路が選択されたかを識別する識別情報を記憶する識別情報記憶部と、この識別情報記憶部に記憶されている識別情報に基づいて前記同調回路選択スイッチにより何れの同調回路が選択されたかを判別する選択判別部とを備え、前記選局制御部が前記選択判別部で判別された同調回路に対応して受信チャンネルを切り換えるものであることを特徴と
している。
【０００９】
請求項３の発明は、請求項１又は２に係るものにおいて、前記選局制御部により切り換えられた受信チャンネルに電波信号に関連する送信情報が存在するか否かを判別する情報判別部と、前記情報判別部により送信情報が存在すると判別された場合に当該送信情報を記憶する送信情報記憶部とを備えたことを特徴としている。
【００１０】
請求項４の発明は、請求項３に係るものにおいて、前記送信情報記憶部に送信情報が記憶されているか否かを判別する記憶判別部と、この記憶判別部により送信情報が記憶されていると判別された場合に前記回路選択スイッチ制御部により前記同調回路選択スイッチ及び前記復調回路選択スイッチを動作させると共に、前記選局制御部により前記送信情報に対応する電波信号を受信するようにする受信制御部とを備えたことを特徴としている。
【００１１】
請求項５の発明は、請求項１乃至４の何れかに係るものにおいて、前記通信規格の異なる電波信号が、デジタルラジオ放送システム及び短距離通信に適したデジタル通信システムにおけるものであることを特徴としている。
【発明の効果】
【００１２】
請求項１の発明によれば、受信する通信規格の異なる電波信号に応じて同調回路及び復調回路を切り換えると共に、通信規格の異なる電波信号の受信チャンネルを選択された同調回路に対応して設定されたステップ周波数単位で切り換えるようにしているので、高周波増幅回路、中間周波数変換回路、フィルタ回路、中間周波増幅回路などは共用することができるようになる結果、通信規格の異なる電波信号を回路構成を複雑化させることなく容易に受信することができる。
【００１３】
請求項２の発明によれば、選局制御部が、識別情報記憶部に記憶されている識別情報に基づいて判別された同調回路に対応して受信チャンネルを切り換えるものであるので、受信チャンネルの切り換えを高精度に実行することができる。
【００１４】
請求項３の発明によれば、選局制御部により切り換えられた受信チャンネルに電波信号に関連する送信情報が存在する場合に当該送信情報が送信情報記憶部に記憶されるので、送信情報記憶部から送信情報を読み出すことで当該電波信号の受信チャンネルを選択することが可能となる。
【００１５】
請求項４の発明によれば、送信情報記憶部に送信情報が記憶されている場合に回路選択スイッチ制御部により同調回路選択スイッチ及び復調回路選択スイッチが動作されて送信情報に対応する同調回路及び復調回路が選択され、送信情報に対応する電波信号を受信するようにされるので、通信規格の異なる電波信号を容易に受信することができる。
【００１６】
請求項５の発明によれば、同一の受信装置によりデジタルラジオ放送システムにおける電波信号、及び、短距離通信に適したデジタル通信システムにおける電波信号を受信することができる。
【発明を実施するための最良の形態】
【００１７】
図１は、本発明の一実施形態に係る受信装置の基本構成を示すブロック図である。この図において、受信装置１０は、局部発振回路の発振周波数を選択的に設定変更することで受信チャンネルを切り換えるようにした従来のＡＭ／ＦＭ受信機でいうスーパーへテロダイン方式と同様の技術が採用されたもので、通信規格の異なる電波信号として、ＤＡＢ（Digital Audio Broadcast）の通信規格が適用されたデジタルラジオ放送システムにおける電波信号と、Bluetooth（登録商標）の通信規格が適用されたデジタル通信システムにおける電波信号とを受信し得るように構成することで大量の楽曲などを容易に受信可能としたものであり、アンテナ１２、同調回路１４、同調回路選択スイッチ１６、高周波増幅回路１８、中間周波数変換回路２０、フィルタ回路２２、中間周波増幅回路２４、復調回路２６、出力回路２８、ブルートゥース送信回路３０、及び、制御部３２を備えている。以下、各構成要素につき順次説明するが、公知の構成要素については機能的な説明のみに留め、詳細な説明は省略する。
【００１８】
なお、Bluetooth（以下においては、ブルートゥースと呼ぶ。）は、上述したようにＩＥＥＥ規格名がＩＥＥＥ８０２.１５.１と呼ばれるものであり、モバイル端末どうしでの短距離の無線通信に適したデジタル通信システムに適用されるものである。
【００１９】
アンテナ１２は、ＤＡＢの通信規格が適用されたデジタルラジオ放送システムにおける１７４ＭＨｚ〜２４０ＭＨｚのＢＡＮＤIIIの電波信号と１，４５２ＭＨｚ〜１，４９２ＭＨｚのＬ-ＢＡＮＤの電波信号、及び、ブルートゥースの通信規格が適用されたデジタル通信システムにおける２，４００ＭＨｚ〜２，４８３.５ＭＨｚの電波信号を受信するようにしたものである。
【００２０】
このように、アンテナ１２は、３種類の電波信号を受信可能にしたものであるため、共用による整合ロスが生じないようにする必要がある。このため、最も周波数が低いＢＡＮＤIIIについては、アンテナエレメントの長さをＢＡＮＤIIIの略中心の周波数である２０７ＭＨｚの２分の１波長の７２５ｍｍにすることで整合させるようにし、Ｌ-ＢＡＮＤ及びBluetoothについては、短縮コンデンサやΠ（パイ）型整合回路などをアンテナ１２と同調回路１４との間に介在させることで整合させるようにしている。
【００２１】
同調回路１４は、１７４ＭＨｚ〜２４０ＭＨｚを受信範囲とするＤＡＢの通信規格に対応するＢＡＮＤIIIの第１の同調回路３８、１，４５２ＭＨｚ〜１，４９２ＭＨｚを受信範囲とするＤＡＢの通信規格に対応するＬ-ＢＡＮＤの第２の同調回路４０、及び、２，４００ＭＨｚ〜２，４８３.５ＭＨｚを受信範囲とするブルートゥースの通信規格に対応する第３の同調回路４２を備えている。
【００２２】
同調回路選択スイッチ１６は、ＦＥＴ（Field effect Transistor）などを含む電子スイッチなどで構成され、受信した電波信号の通信規格に対応して、第1の同調回路３８、第２の同調回路４０及び第３の同調回路４２のうちの１の同調回路を選択するもので、アンテナ１２と同調回路１４との間に配設された第１の同調回路選択スイッチ４４と、同調回路１４と高周波増幅回路１８との間に配設された第２の同調回路選択スイッチ４６とを備えている。
【００２３】
ここで、第１の同調回路選択スイッチ４４は、共通接点４４ａがアンテナ１２に接続され、第１の切換接点４４ｂが第１の同調回路３８の入力側に接続され、第２の切換接点４４ｃが第２の同調回路４０の入力側に接続され、第３の切換接点４４ｄが第３の同調回路４２の入力側に接続されている。また、第２の同調回路選択スイッチ４６は、共通接点４６ａが高周波増幅回路１８に接続され、第１の切換接点４６ｂが第１の同調回路３８の出力側に接続され、第２の切換接点４６ｃが第２の同調回路４０の出力側に接続され、第３の切換接点４６ｄが第３の同調回路４２の出力側に接続されている。
【００２４】
高周波増幅回路１８は、同調回路１４と中間周波数変換回路２０との間に配設されたもので、広帯域で低雑音のＬＮＡ（Low Noise Amplifier）で構成され、復調回路２６側から供給されるＡＧＣ（Automatic Gain Control）信号により増幅度が可変可能に構成されたものである。この高周波増幅回路１８は、例えば、ＤＡＢのＢＡＮＤIIIからブルートゥースまでの１７４ＭＨｚ〜２,４８３.５ＭＨｚをＬＮＡチップ内部に形成したバリキャップとコイルとからなる出力側同調回路で各チャンネルに同調させるようにしてもよいし、出力側同調回路を設けずに広帯域に増幅するようにしてもよい。このように、本実施形態では、通信規格の異なる広帯域の信号を同一の高周波増幅回路１８で増幅するようにしているので、回路構成を簡素化することができる。
【００２５】
中間周波数変換回路２０は、同調回路１４から出力された同調信号の周波数を所定の中間周波数の中間周波信号に変換するもので、高周波増幅回路１８とフィルタ回路２２との間に配設された混合回路５０と局部発振回路５２とから構成されたものである。この局部発振回路５２には、局部発振回路５２で生成される局部発振信号の周波数を設定変更するためのＰＬＬ（Phase-Locked Loop）回路５４が接続されている。
【００２６】
このＰＬＬ回路５４は、例えば、プログラマブル分周器、位相比較器、ＶＣＯ（Voltage Controlled Oscillator）、低域フィルタ等からなる公知の構成のものであり、プログラマブル分周器に制御部３２から第1の同調回路３８、第２の同調回路４０又は第３の同調回路４２に対応した（すなわち、通信規格の異なる電波信号に対応した）ステップ周波数単位で設定された選局信号（周波数データ）が制御部３２から供給されることで出力される電圧が局部発振回路５２に設けられた可変容量ダイオードに印加され、これにより局部発振回路５２の発信周波数が可変されるようにしたものである。
【００２７】
フィルタ回路２２は、カットオフ周波数を１,６００ＫＨｚ付近に設定したアクティブローパスフィルタで構成されたもので、中間周波数変換回路２０から出力された中心周波数が８５０ＫＨｚで１,５３６ＫＨｚの帯域を有する中間周波信号のみを通過させるものである。これにより、第１の同調回路３８、第２の同調回路４０及び第３の同調回路４２の何れの同調回路が選択された場合であっても（すなわち、通信規格の異なる何れの電波信号であっても）中心周波数が８５０ＫＨｚの中間周波数に設定されることになる。
【００２８】
中間周波増幅回路２４は、フィルタ回路２２を通過した中間周波信号を増幅するものである。このように、本実施形態では、第１の同調回路３８、第２の同調回路４０及び第３の同調回路４２から出力された各信号の周波数をそれぞれ８５０ＫＨｚの中間周波数に変換することで、通信規格の異なる電波信号の中間周波信号を同一の中間周波増幅回路２４で増幅することができるようになり、これにより回路構成を簡素化することができる。
【００２９】
復調回路２６は、中間周波信号に変換されたＤＡＢの通信規格の信号及びブルートゥースの通信規格の信号をそれぞれ復調するものであり、アナログ信号である中間周波信号をデジタル信号に変換するＡ／Ｄ変換器５６と、Ａ／Ｄ変換器５６から出力されたＤＡＢの通信規格の信号を復調する第１の復調回路５８と、Ａ／Ｄ変換器５６から出力されたブルートゥースの通信規格の信号を復調する第２の復調回路６０と、受信する電波信号の通信規格に対応して、第１の復調回路５８及び第２の復調回路６０のうちの１の復調回路を選択する復調回路選択スイッチ６２とを備えている。
【００３０】
この復調回路２６から上述したＡＧＣ（Automatic Gain Control）制御信号が出力され、高周波増幅回路１８に供給される。このＡＧＣ制御信号は、第１の復調回路５８又は第２の復調回路６０に入力されるＡ／Ｄ変換器５６からの出力信号のレベルの大小を直流電圧の大小に変換することで得るものである。
【００３１】
ここで、ＤＡＢの通信規格の信号は、ＣＯＦＤＭ（Coded Orthogonal Frequency Division Multiplexing：コード化直交周波数分割マルチプレクス）方式で変調されているため、第１の復調回路５８は、ＤＳＰ（Digital Signal Processor）を用いてＣＯＦＤＭ方式で変調された信号を復調可能に構成されている。ブルートゥースの通信規格の信号は、ＧＦＳＫ（Gaussian Filtered Frequency Shift Keying：ガウス型周波数シフトキーイング）方式で変調されているため、第２の復調回路６０は、ＤＳＰ（Digital Signal Processor）を用いてＧＦＳＫ方式で変調された信号を復調可能に構成されている。
【００３２】
また、復調回路選択スイッチ６２は、ＦＥＴ（Field effect Transistor）などを含む電子スイッチなどで構成され、共通接点６２ａがＡ／Ｄ変換器５６の出力側に接続され、第１の切換接点６２ｂ及び第２の切換接点６２ｃが第１の復調回路５８の入力側に接続され、第３の切換接点６２ｄが第２の復調回路６０の入力側に接続されている。
【００３３】
出力回路２８は、第１の復調回路５８又は第２の復調回路６０から出力された音声データを音声として出力すると共に、第１の復調回路５８又は第２の復調回路６０から出力されるデータに文字データを含んでいる場合はその文字データを制御部３２に送出する。すなわち、第１の復調回路５８又は第２の復調回路６０から出力される音声データは、一般にＩ２Ｓ（Inter IC Sound）やＳＰＤＩＦ（Sony Philips Digital Interface）などのデジタル信号として出力され、スピーカなどから音声として出力される。また、アナログ信号が必要な場合はＤ／Ａ変換器６６で変換されてパワーアンプなどに送出され、スピーカなどから音声として出力される。
【００３４】
ブルートゥース送信回路３０は、携帯電話やＰＤＡなどのモバイル端末に記録されている音楽などの記録情報が当該モバイル端末からブルートゥースの通信規格が適用されて送信される場合に、受信装置１０とモバイル端末とをペアリングすることでモバイル端末から送信される電波信号の受信を可能にするため、相手方のモバイル端末に受信装置１０側のパスコードなどを送信するためのものである。
【００３５】
このブルートゥース送信回路３０は公知の構成になるものであり、第１の同調回路選択スイッチ４４の第３の切換接点４４ｄに接続され、アンテナ１２を介してモバイル端末に受信装置１０側のパスコードなどを送信する。なお、パスコードなどは、図略の操作部に備わるテンキーなどにより入力されることになる。
【００３６】
制御部３２は、受信装置１０の動作を制御するものであり、演算処理を実行するＣＰＵ（Central Processing Unit）、処理プログラム及びデータが記録されたＲＯＭ(Read-Only Memory)、データを一時的に記録するＲＡＭ(Random Access Memory)などを含むマイクロコンピュータにより構成されたものである。この制御部３２には、識別情報記憶部６８、送信情報記憶部７０、表示部７２及び選局スイッチ７４が接続されている。
【００３７】
ここで、識別情報記憶部６８は、電気的にデータの書き換え可能なＥＥＰＲＯＭ（Electrically Erasable PROM）などで構成されたもので、同調回路選択スイッチ１６により第１の同調回路３８、第２の同調回路４０及び第３の同調回路４２のうちの１の同調回路が選択された場合、何れの同調回路が選択されたかを識別するための識別情報を記憶するものである。送信情報記憶部７０は、電気的にデータの書き換え可能なＥＥＰＲＯＭ（Electrically Erasable PROM）などで構成されたもので、切り換えた受信チャンネルに放送信号などの電波信号が存在する場合、その電波信号の周波数やチャンネル番号などの電波信号を識別するための送信情報を記憶するものである。
【００３８】
表示部７２は、液晶ディスプレイなどで構成され、第１の復調回路５８又は第２の復調回路６０から出力されるデータに文字データを含んでいる場合、その文字データを制御部３２で解析するなどして文字として表示するものである。選局スイッチ７４は、オペレータにより操作されることで受信チャンネルを順に切り換えるもので、Ｕｐ側に操作された場合は周波数の低い受信チャンネル側から周波数の高い受信チャンネル側に切り換わり、Ｄｏｗｎ側に操作された場合は周波数の高い受信チャンネル側から周波数の低い受信チャンネル側に切り換わる。
【００３９】
また、制御部３２には、回路選択スイッチ制御部７６、選択判別部７８、選局制御部８０、選局判別部８２、情報判別部８４、記憶判別部８６、操作判別部８８、及び、受信制御部９０の各機能実現部を備えている。ここで、回路選択スイッチ制御部７６は、同調回路選択スイッチ１６及び復調回路選択スイッチ６２の切換動作を制御するものである。選択判別部７８は、同調回路選択スイッチ１６により何れの同調回路が選択されたかを識別情報記憶部６８に記憶されている識別情報を読み出すことで判別するものである。
【００４０】
選局制御部８０は、受信した通信規格の異なる電波信号の受信チャンネルを局部発振回路５２の発振周波数を選択的に設定変更することで切り換え制御するものである。すなわち、ＰＬＬ回路５４のプログラマブル分周器に第１の同調回路３８、第２の同調回路４０又は第３の同調回路４２に対応した（すなわち、通信規格の異なる電波信号に対応した）ステップ周波数単位で設定された選局信号（周波数データ）を供給することで出力される電圧が局部発振回路５２に設けられた可変容量ダイオードに印加され、これにより局部発振回路５２の発信周波数が可変されることで通信規格の異なる電波信号の所定の受信チャンネルが選択される。
【００４１】
なお、表１にＤＡＢのＢＡＮＤIIIの受信チャンネルを示し、表２にＤＡＢのＬ-ＢＡＮＤの受信チャンネルを示し、表３にブルートゥースの受信チャンネルを示している。ＤＡＢのＢＡＮＤIIIでは、ステップ周波数が１.７１２ＭＨｚに設定され、チャンネル番号５Ａ〜１３Ｆまでの３８個の受信チャンネルを有し、ＤＡＢのＬ-ＢＡＮＤでは、ステップ周波数が１.７１２ＭＨｚに設定され、チャンネル番号ＬＡ〜ＬＷまでの２３個の受信チャンネルを有している。ブルートゥースでは、ステップ周波数が０.００１ＧＨｚに設定され、チャンネル番号０〜７８までの７９個の受信チャンネルを有している。
【００４２】
【表１】
2008054226.tif 000003
【００４３】
【表２】
2008054226.tif 000004
【００４４】
【表３】
2008054226.tif 000005
【００４５】
選局判別部８２は、何れの受信チャンネルが選局されたか否かを判別するものである。この判別は、例えば、選局制御部８０の制御動作により局部発振回路５２の可変容量ダイオードに印加される電圧値を検出することで実行することができる。
【００４６】
情報判別部８４は、選局制御部８０により切り換えられた受信チャンネルに電波信号に関連する送信情報が存在するか否かを判別するものである。例えば、切り換えられた受信チャンネルに放送信号などの電波信号が存在する場合は、その電波信号を特定するためのチャンネル番号や周波数などの送信情報が含まれているので、その送信情報を読み取ることで送信情報が存在していると判別される。受信チャンネルが切り換えられても電波信号が存在しない場合は、チャンネル番号や周波数などの送信情報が含まれていないので、この場合は送信情報が存在していないと判別される。なお、電波信号に当該電波信号を特定するためのチャンネル番号や周波数などの送信情報が含まれている場合、その送信情報が機能実現部としての情報書込部により通信規格単位で受信チャンネルに対応して送信情報記憶部７０に書き込まれる。
【００４７】
記憶判別部８６は、送信情報記憶部７０に送信情報が記憶されているか否かを判別するものである。例えば、送信情報記憶部７０に送信情報が書き込まれている場合は、その送信情報を機能実現部としての情報読出部により読み出すことができるので、送信情報を読み出すことができるか否かにより判別することができる。
【００４８】
操作判別部８８は、選局スイッチ７４がオペレータにより操作されたか否かを判別するものである。この判別は、例えば、選局スイッチ７４がＵｐ側に操作された場合とＤｏｗｎ側に操作された場合とで異なる操作信号が制御部３２に対して出力されることで実行される。
【００４９】
受信制御部９０は、送信情報記憶部７０に送信情報が記憶されていると判別された場合、その送信情報を読み出し、回路選択スイッチ制御部７６により同調回路選択スイッチ１６及び復調回路選択スイッチ６２の切換動作を制御することで読み出した送信情報から得た受信チャンネルに合わせ、その受信チャンネルの電波信号を受信するように制御するものである。
【００５０】
図２乃至７は、受信装置１０における通信規格の異なる電波信号の受信動作の一例を概略的に示すフローチャートである。まず、図略の電源スイッチが操作されて稼動可能な状態になると、受信装置１０の動作が初期化されることで、回路選択スイッチ制御部７６により同調回路選択スイッチ１６及び復調回路選択スイッチ６２の切り換え動作が実行されて第１の同調回路３８及び第１の復調回路５８が選択され、選局制御部８０によりＤＡＢのＢａｎｄIIIにおける最下位の受信チャンネル（チャンネル番号５Ａ）が受信可能な状態とされる（ステップＳ１）。
【００５１】
次いで、ＤＡＢのＢａｎｄIIIにおける最下位の受信チャンネルにデジタルラジオ放送信号である電波信号が存在するか否かが情報判別部８４により判別される（ステップＳ３）。このステップＳ３での判別が肯定されると、この受信チャンネルの送信情報（チャンネル番号や周波数など）が送信情報記憶部７０に記憶される（ステップＳ５）。その後に、選局制御部８０により受信チャンネルの切り換え動作が実行され、次の受信チャンネル（チャンネル５Ｂ）が受信可能な状態とされる（ステップＳ７）。なお、ステップＳ３での判別が否定されたときは、ステップＳ７に移行する。
【００５２】
次いで、切り換えられた受信チャンネルがＤＡＢのＢａｎｄIIIにおける最上位の受信チャンネル（チャンネル番号１３Ｆ）であるか否かが選局判別部８２により判別される（ステップＳ９）。このステップＳ９での判別が肯定されると、その受信チャンネルにデジタルラジオ放送信号である電波信号が存在するか否かが情報判別部８４により判別される（ステップＳ１１）。このステップＳ１１での判別が肯定されると、この受信チャンネルの送信情報（チャンネル番号や周波数など）が送信情報記憶部７０に記憶される（ステップＳ１３）。なお、ステップＳ９での判別が否定されたときは、ステップＳ３に移行し以降のステップが繰り返し実行される。
【００５３】
次いで、回路選択スイッチ制御部７６により同調回路選択スイッチ１６の切り換え動作が実行されて第２の同調回路４０が選択されることでＤＡＢのＬ-Ｂａｎｄに切り換えられ、選局制御部８０によりＤＡＢのＬ-Ｂａｎｄにおける最下位の受信チャンネル（チャンネル番号ＬＡ）が受信可能な状態とされる（ステップＳ１５）。なお、同調回路選択スイッチ１６の切り換え動作に合わせて復調回路選択スイッチ６２の切り換え動作も同時に実行されるが、受信チャンネルはＤＡＢのＬ-Ｂａｎｄであることから、復調回路は第１の復調回路５８が選択されたままである。ステップＳ１１での判別が否定されたとき、このステップ１５に移行する。
【００５４】
次いで、ＤＡＢのＬ-Ｂａｎｄにおける最下位の受信チャンネルにデジタルラジオ放送信号である電波信号が存在するか否かが情報判別部８４により判別される（ステップＳ１７）。このステップＳ１７での判別が肯定されると、この受信チャンネルの送信情報（チャンネル番号や周波数など）が送信情報記憶部７０に記憶される（ステップＳ１９）。その後に、選局制御部８０により受信チャンネルの切り換え動作が実行され、次の受信チャンネル（チャンネル番号ＬＢ）が受信可能な状態とされる（ステップＳ２１）。なお、ステップＳ１７での判別が否定されたときは、ステップＳ２１に移行する。
【００５５】
次いで、切り換えられた受信チャンネルがＤＡＢのＬ-Ｂａｎｄにおける最上位の受信チャンネル（チャンネル番号ＬＷ）であるか否かが選局判別部８２により判別される（ステップＳ２３）。このステップＳ２３での判別が肯定されると、その受信チャンネルにデジタルラジオ放送信号である電波信号が存在するか否かが情報判別部８４により判別される（ステップＳ２５）。このステップＳ２５での判別が肯定されると、この受信チャンネルの送信情報（チャンネル番号や周波数など）が送信情報記憶部７０に記憶される（ステップＳ２７）。なお、ステップＳ２３での判別が否定されたときは、ステップ１７に移行し以降のステップが繰り返し実行される。
【００５６】
次いで、回路選択スイッチ制御部７６により同調回路選択スイッチ１６及び復調回路選択スイッチ６２の切り換え動作が実行されて第３の同調回路４２及び第２の復調回路６０が選択されることでブルートゥースに切り換えられ、選局制御部８０によりブルートゥースにおける最下位の受信チャンネル（チャンネル番号０）が受信可能な状態とされる（ステップＳ２９）。なお、ステップＳ２５での判別が否定されたとき、このステップ２９に移行する。
【００５７】
次いで、ブルートゥースにおける最下位の受信チャンネルにモバイル端末からの無線信号である電波信号が存在するか否かが情報判別部８４により判別される（ステップＳ３１）。このステップＳ３１での判別が肯定されると、この受信チャンネルの送信情報（チャンネル番号や周波数など）が送信情報記憶部７０に記憶される（ステップＳ３３）。その後に、選局制御部８０により受信チャンネルの切り換え動作が実行され、次の受信チャンネル（チャンネル番号１）が受信可能な状態とされる（ステップＳ３５）。なお、ステップＳ３１での判別が否定されたときは、ステップＳ３５に移行する。
【００５８】
次いで、切り換えられた受信チャンネルがブルートゥースにおける最上位の受信チャンネル（チャンネル番号７８）であるか否かが選局判別部８２により判別される（ステップＳ３７）。このステップＳ３７での判別が肯定されると、その受信チャンネルにモバイル端末から送信される無線信号である電波信号が存在するか否かが情報判別部８４により判別される（ステップＳ３９）。このステップＳ３９での判別が肯定されると、この受信チャンネルの送信情報（チャンネル番号や周波数など）が送信情報記憶部７０に記憶される（ステップＳ４１）。なお、ステップＳ３７での判別が否定されたときは、ステップ３１に移行し以降のステップが繰り返し実行される。このステップＳ１からステップＳ４１までは、ＤＡＢ及びブルートゥースを受信するまでの準備動作となる。
【００５９】
次いで、送信情報記憶部７０にＤＡＢ及びブルートゥースのうちの少なくとも１の受信チャンネルに送信情報（チャンネル番号や周波数など）が記憶されているか否かが情報判別部８４により判別される（ステップＳ４３）。このステップＳ４３での判別が肯定されると、ＤＡＢのＢａｎｄIIIの送信情報が記憶されているか否かが情報判別部８４により判別される（ステップＳ４５）。
【００６０】
このステップＳ４５での判別が肯定されると、受信制御部９０により回路選択スイッチ制御部７６の動作が制御されることで、同調回路選択スイッチ１６及び復調回路選択スイッチ６２の切り換え動作が実行されて第１の同調回路３８及び第１の復調回路５８が選択され、これによりＤＡＢのＢａｎｄIIIに切り換えられることで当該ＢａｎｄIIIの電波信号が受信可能な状態とされる（ステップＳ４７）。その後に、選局制御部８０により送信情報記憶部７０に記憶されたＤＡＢのＢａｎｄIIIの中での最下位の受信チャンネルへの切り換え動作（選局動作）が実行される（ステップＳ４９）。これにより、ＤＡＢのＢａｎｄIIIにおける音楽などの送信内容（放送内容）が出力回路２８により音声や文字情報として出力される。
【００６１】
次いで、選局スイッチ７４がオペレータによりＵｐ側に操作されたか否かが操作判別部８８により判別される（ステップＳ５１）。このステップＳ５１での判別が肯定されると、ＤＡＢのＢａｎｄIIIの他の送信情報が記憶されているか否かが情報判別部８４により判別される（ステップＳ５３）。このステップＳ５３での判別が肯定されると、選局制御部８０により送信情報記憶部７０に記憶されたＤＡＢのＢａｎｄIIIの中での次のＵｐ側の受信チャンネルへの切り換え動作（選局動作）が実行される（ステップＳ５５）。これにより、ＤＡＢのＢａｎｄIIIにおける次の受信チャンネルの送信内容（放送内容）が出力回路２８により音声や文字情報として出力される。
【００６２】
次いで、ステップＳ５１に移行して選局スイッチ７４がオペレータによりＵｐ側に操作されたか否かが操作判別部８８により判別され、以降のステップが繰り返し実行される。そして、ステップＳ５３での判別が否定されると、ＤＡＢのＬ-Ｂａｎｄの送信情報が記憶されているか否かが情報判別部８４により判別される（ステップＳ５７）。
【００６３】
このステップＳ５７での判別が肯定されると、受信制御部９０により回路選択スイッチ制御部７６の動作が制御されることで、同調回路選択スイッチ１６の切り換え動作が実行されて第２の同調回路４０が選択され、これによりＤＡＢのＬ-Ｂａｎｄに切り換えられることで当該Ｌ-Ｂａｎｄの電波信号が受信可能な状態とされる（ステップＳ５９）。その後に、選局制御部８０により送信情報記憶部７０に記憶されたＤＡＢのＬ-Ｂａｎｄの中での最下位の受信チャンネルへの切り換え動作（選局動作）が実行される（ステップＳ６１）。これにより、ＤＡＢのＬ-Ｂａｎｄにおける音楽などの送信内容（放送内容）が出力回路２８により音声や文字情報として出力される。なお、同調回路選択スイッチ１６の切り換え動作に合わせて復調回路選択スイッチ６２の切り換え動作も同時に実行されるが、受信チャンネルはＤＡＢのＬ-Ｂａｎｄであることから、復調回路は第１の復調回路５８が選択されたままとなる。
【００６４】
次いで、選局スイッチ７４がオペレータによりＵｐ側に操作されたか否かが操作判別部８８により判別される（ステップＳ６３）。このステップＳ６３での判別が肯定されると、ＤＡＢのＬ-Ｂａｎｄの他の送信情報が記憶されているか否かが情報判別部８４により判別される（ステップＳ６５）。このステップＳ６５での判別が肯定されると、選局制御部８０により送信情報記憶部７０に記憶されたＤＡＢのＬ-Ｂａｎｄの中での次のＵｐ側の受信チャンネルへの切り換え動作（選局動作）が実行される（ステップＳ６７）。これにより、ＤＡＢのＬ-Ｂａｎｄにおける次の受信チャンネルの送信内容（放送内容）が出力回路２８により音声や文字情報として出力される。
【００６５】
次いで、ステップＳ６３に移行して選局スイッチ７４がオペレータによりＵｐ側に操作されたか否かが操作判別部８８により判別され、以降のステップが繰り返し実行される。そして、ステップＳ６５での判別が否定されると、ブルートゥースの送信情報が記憶されているか否かが情報判別部８４により判別される（ステップＳ６９）。
【００６６】
このステップＳ６９での判別が肯定されると、受信制御部９０により回路選択スイッチ制御部７６の動作が制御されることで、同調回路選択スイッチ１６及び復調回路選択スイッチ６２の切り換え動作が実行されて第３の同調回路４２及び第２の復調回路６０が選択され、これによりブルートゥースに切り換えられることでモバイル端末などから送信されるブルートゥースの電波信号が受信可能な状態とされる（ステップＳ７１）。その後に、選局制御部８０により送信情報記憶部７０に記憶されたブルートゥースの中での最下位の受信チャンネルへの切り換え動作（選局動作）が実行される（ステップＳ７３）。これにより、ブルートゥースにおける音楽などの送信内容が出力回路２８により音声や文字情報として出力される。
【００６７】
なお、モバイル端末などから送信されるブルートゥースの電波信号を受信するに際しては、ブルートゥース送信回路３０により相手側のモバイル端末に受信装置１０側のパスコードなどが送信され、受信装置１０とモバイル端末とがペアリング可能な状態に設定される。
【００６８】
次いで、選局スイッチ７４がオペレータによりＵｐ側に操作されたか否かが操作判別部８８により判別される（ステップＳ７５）。このステップＳ７５での判別が肯定されると、ブルートゥースの他の送信情報が記憶されているか否かが情報判別部８４により判別される（ステップＳ７７）。このステップＳ７７での判別が肯定されると、選局制御部８０により送信情報記憶部７０に記憶されたブルートゥースの中での次のＵｐ側の受信チャンネルへの切り換え動作（選局動作）が実行される（ステップＳ７９）。これにより、ブルートゥースにおける次の受信チャンネルの送信内容が出力回路２８により音声や文字情報として出力される。
【００６９】
次いで、ステップＳ７５に移行して選局スイッチ７４がオペレータによりＵｐ側に操作されたか否かが操作判別部８８により判別され、以降のステップが繰り返し実行される。そして、ステップＳ７７での判別が否定されると、これまでの一連の受信動作が終了する。なお、ステップＳ４３での判別が否定されたときは受信動作が終了し、ステップＳ４５での判別が否定されたときはステップＳ５７に移行し、ステップＳ５７での判別が否定されたときはステップＳ６９に移行する。また、ステップＳ５１、ステップＳ６３及びステップＳ７５での判別が否定されたときは、それぞれ判別が肯定されるまで待機する。
【００７０】
以上説明したように、本発明は、アンテナ１２を介して受信した通信規格の異なる電波信号に対応する第１乃至第３の複数の同調回路３８、４０、４２を含む同調回路１４と、受信した電波信号の通信規格に対応して同調回路１４の複数の同調回路３８、４０、４２のうちの１の同調回路を選択する同調回路選択スイッチ１６と、受信した通信規格の異なる電波信号に対応する第１及び第２の複数の復調回路５８、６０を含む復調回路２６と、受信した電波信号の通信規格に対応して第１及び第２の複数の復調回路５８、６０のうちの１の復調回路を選択する復調回路選択スイッチ６２と、同調回路選択スイッチ１６及び復調回路選択スイッチ６２の切換動作を制御する回路選択スイッチ制御部７６と、通信規格の異なる電波信号の受信チャンネルを選択された同調回路に対応して設定されたステップ周波数単位で切り換える選局制御部８０とを備えている。
【００７１】
このように、本発明では、受信する通信規格の異なる電波信号に応じて同調回路１４及び復調回路２６を切り換えると共に、通信規格の異なる電波信号の受信チャンネルを選択された同調回路１４に対応して設定されたステップ周波数単位で切り換えるようにしているので、高周波増幅回路１８、中間周波数変換回路２０、フィルタ回路２２、中間周波増幅回路２４などは共用することができるようになる結果、通信規格の異なる電波信号を回路構成を複雑化させることなく容易に受信することができ、大量の楽曲などを容易に受信可能なものとなる。
【００７２】
また、受信する通信規格の異なる電波信号に応じて同調回路１４及び復調回路２６を同調回路選択スイッチ１６及び復調回路選択スイッチ６２で切り換えるようにしているので、同調回路選択スイッチ１６及び復調回路選択スイッチ６２の切換位置を検出するだけで何れの通信規格の電波信号が受信可能となっているかを判別することができ、制御部３２で何れの通信規格の電波信号が受信可能となっているかを解析するための複雑な処理プログラムが不要となる結果、処理動作を簡素化できて処理スピードを高めることができる。
【００７３】
なお、本発明は、上記実施形態のものに限定されるものではなく、以下に述べるような種々の変形態様を必要に応じて採用することができる。
【００７４】
（１）上記実施形態では、アンテナ１２が、ＤＡＢの通信規格が適用されたデジタルラジオ放送システムにおける１７４ＭＨｚ〜２４０ＭＨｚのＢＡＮＤIIIの電波信号と１，４５２ＭＨｚ〜１，４９２ＭＨｚのＬ-ＢＡＮＤの電波信号、及び、ブルートゥースの通信規格が適用されたデジタル通信システムにおける２，４００ＭＨｚ〜２，４８３.５ＭＨｚの電波信号を受信するようにしたものであるが、これに限るものではない。例えば、ブルートゥースについては、周波数が非常に高いことからアンテナエレメントの長さが約６０ｍｍでよいことになるため、プリント基板の導体パターンやリード線などで形成した個別のアンテナを設けるようにしてもよい。この場合、ブルートゥース送信回路３０は、この個別のアンテナに接続されることになる。
【００７５】
（２）上記実施形態では、同調回路選択スイッチ１６は、第１の同調回路選択スイッチ４４と第２の同調回路選択スイッチ４６とを備えているが、これに限るものではない。例えば、同調回路１４と高周波増幅回路１８との間に配設された第２の同調回路選択スイッチ４６のみであってもよい。この場合、アンテナ１２は各同調回路に常に接続された状態となる。
【００７６】
（３）上記実施形態では、高周波増幅回路１８は、同調回路１４の後段側に配設されているが、これに限るものではない。例えば、高周波増幅回路１８を同調回路１４の前段側に配設するようにすることもできる。
【００７７】
（４）上記実施形態では、復調回路２６をＤＳＰ（Digital Signal Processor）を応用して形成されるDAB専用の復調回路とブルートゥース専用の復調回路を個別に構成するようにしているが、これに限るものではない。例えば、１つのＤＳＰ（Digital Signal Processor）を用いてソフトウエアを切り換えることによりDABの復調回路とブルートゥースの復調回路の両方の機能を持たせるようにすることもできる。
【００７８】
（５）上記実施形態では、通信規格の異なる電波信号として、ＤＡＢとブルートゥースとを受信するようにしているが、これに限るものではない。例えば、ＤＡＢの電波信号と、ブルートゥース以外の通信規格の電波信号とを受信し得るようにしてもよいし、ブルートゥースの電波信号と、ＤＡＢ以外の通信規格の電波信号とを受信し得るようにしてもよい。また、ＤＡＢとブルートゥースとを含まない組み合わせであってもよい。さらには、その組み合わせは、２つ通信規格の異なる電波信号に限らず、３つ以上の通信規格の異なる電波信号であってもよい。
【００７９】
（６）上記実施形態では、受信チャンネル切り換え動作中においても、すべての回路が動作するものを前提としているが、これに限るものではない。例えば、ミュート回路を設けておき、受信チャンネル切り換え動作中は、ミュート回路が作動されることで音声が遮断されるようにすることもできる。
【００８０】
（７）上記実施形態では、受信装置１０の受信動作の一例として、最初にＤＡＢのＢａｎｄIIIの電波信号を受信し、次にＤＡＢのＬ-Ｂａｎｄの電波信号を受信し、最後にブルートゥースの電波信号を受信するようにしているが、これに限るものではない。例えば、最初に、ＤＡＢのＬ-Ｂａｎｄの電波信号を受信するようにしてもよいし、ブルートゥースの電波信号を受信するようにしてもよい。
【００８１】
（８）上記実施形態では、受信装置１０の受信動作の一例として、周波数の低い受信チャンネルから周波数の高い受信チャンネルへと切り換えるようにしているが、これに限るものではない。例えば、周波数の高い受信チャンネルから周波数の低い受信チャンネルへと切り換えるようにすることもできる。
【００８２】
（９）上記実施形態では、受信装置１０の受信動作の一例として、通信規格の異なる電波信号のチャンネル番号や周波数などの送信情報を予め送信情報記憶部７０に記憶させ、その後で送信情報記憶部７０から送信情報を読み出して送信内容を受信するための選局動作を行うようにしているが、これに限るものではない。例えば、予め送信情報を送信情報記憶部７０に記憶させることなく、通信規格の異なる電波信号について最初から送信内容を受信するための選局動作を行うようにすることもできる。
【００８３】
（１０）上記実施形態では、復調回路選択スイッチ６２が３つの切換接点６２ｂ、６２ｃ、６２ｄを有するものであるが、これに限るものではない。例えば、復調回路選択スイッチ６２は、２つの切換接点６２ｂ、６２ｃしか有しないものであってもよい。この場合、同調回路選択スイッチ１６が切換接点４６ｂから切換接点４６ｃに切り換えられるとき、復調回路選択スイッチ６２は切換動作を実行しないようにすればよい。要は、同調回路１４が通信規格の異なる電波信号を受信するために切り換えられる場合、復調回路２６についても当該通信規格の異なる電波信号を受信するために切り換えられる構成とされておればよい。
【００８４】
（１１）上記実施形態では、識別情報記憶部６８及び送信情報記憶部７０を個別に設けているが、これに限るものではない。例えば、識別情報記憶部６８及び送信情報記憶部７０を同一の記憶部に記憶領域を分けることで設定することもできる。
【００８５】
（１２）上記実施形態では、特に言及していないが、全体の回路あるいは一部の回路を１つのモジュールとして構成することができる。
【図面の簡単な説明】
【００８６】
【図１】本発明の一実施形態に係る受信装置の基本構成を示すブロック図である。
【図２】図１に示す受信装置の受信動作の一例を説明するためのフローチャートである。
【図３】図１に示す受信装置の受信動作の一例を説明するためのフローチャートである。
【図４】図１に示す受信装置の受信動作の一例を説明するためのフローチャートである。
【図５】図１に示す受信装置の受信動作の一例を説明するためのフローチャートである。
【図６】図１に示す受信装置の受信動作の一例を説明するためのフローチャートである。
【図７】図１に示す受信装置の受信動作の一例を説明するためのフローチャートである。
【符号の説明】
【００８７】
１０  受信装置
１２  アンテナ
１４  同調回路
１６  同調回路選択スイッチ
２６  復調回路
３２  制御部
３８  第１の同調回路
４０  第２の同調回路
４２  第３の同調回路
４４  第１の同調回路選択スイッチ
４６  第２の同調回路選択スイッチ
５８  第１の復調回路
６０  第２の復調回路
６８  識別情報記憶部
７０  送信情報記憶部
７６  回路選択スイッチ制御部
７８  選択判別部
８０  選局制御部
８２  選局判別部
８４  情報判別部
８６  記憶判別部
９０  受信制御部
【図１】
2008054226.tif 000006
【図２】
2008054226.tif 000007
【図３】
2008054226.tif 000008
【図４】
2008054226.tif 000009
【図５】
2008054226.tif 000010
【図６】
2008054226.tif 000011
【図７】
2008054226.tif 000012